(57)【要約】【課題】高密度実装を妨げることなく複数のアンテナのアイソレーションを向上させたアンテナ実装構造及びこれを備えた携帯電話端末を提供する。【解決手段】切り欠き部３ａが形成された第１の基板３は、長手方向の切り欠き部３ａと隣接する一端かつ切り欠き部３ａに隣接する短手方向の一端となる角部に、第１の周波数帯域を使用周波数とするLowBand用アンテナ１が、長手方向に沿って切り欠き部３ａの上に配置されており、第２の基板６は、短縮状態において切り欠き部３ａとは長手方向では同じ側かつ短手方向では反対側となる角部に、第２の周波数帯域を使用周波数とするアプリ用アンテナ４が配置されており、LowBand用アンテナ１に給電する給電点２とアプリ用アンテナ４に給電する給電点５とは、短縮状態において第２の周波数帯域おける最低周波数での波長換算で０．１１波長よりも離れて設置されている。【選択図】図１
2010130049.tif 000002
【特許請求の範囲】
【請求項１】
第１の基板を収容する第１の筐体と第２の基板を収容する第２の筐体とを重ね合わせた短縮状態と、前記第１及び第２の筐体とを略直列に配置した伸長状態とを取りうる携帯電話端末に適用されるアンテナ実装構造であって、
隅に切り欠き部が形成された前記第１の基板は、長手方向の前記切り欠き部と隣接する一端かつ該切り欠き部に隣接する短手方向の一端となる角部に、第１の周波数帯域を使用周波数とする第１のアンテナが、長手方向に沿って前記切り欠き部の上に位置するように配置されており、
前記第２の基板は、前記短縮状態において長手方向では前記切り欠き部とは同じ側の一端かつ短手方向では該切り欠き部とは反対側の端となる角部に、第２の周波数帯域を使用周波数とする第２のアンテナが配置されており、
前記第１のアンテナに給電する前記第１の基板上の第１の給電点と、前記第２のアンテナに給電する第２の基板上の第２の給電点とは、前記短縮状態において前記第２の周波数帯域おける最低周波数での波長換算で０．１１波長よりも離れて設置されていることを特徴とするアンテナ実装構造。
【請求項２】
前記第２の周波数帯域は、前記第１の周波数帯域よりも高周波であることを特徴とする請求項１記載のアンテナ実装構造。
【請求項３】
前記第２の周波数帯域における最低使用周波数は、前記第１の周波数帯域における最低使用周波数の略２倍であることを特徴とする請求項２記載のアンテナ実装構造。
【請求項４】
前記第１のアンテナは、モノポールアンテナであることを特徴とする請求項１又は２記載のアンテナ実装構造。
【請求項５】
前記第１のアンテナは、前記第１の給電点からアンテナ末端までの間で少なくとも１回湾曲又は屈曲していることを特徴とする請求項４記載のアンテナ実装構造。
【請求項６】
前記第１の基板の前記第１のアンテナが設置された角部に、該第１のアンテナとは異なる周波数帯域を使用周波数とする第３のアンテナを備えることを特徴とする請求項１から５のいずれか１項記載のアンテナ実装構造。
【請求項７】
前記第３のアンテナは、前記第１の給電点とは異なる第３の給電点から給電されることを特徴とする請求項６記載のアンテナ実装構造。
【請求項８】
前記第３のアンテナは、前記第１の給電点から給電されることを特徴とする請求項６記載のアンテナ実装構造。
【請求項９】
請求項１から８のいずれか１項記載のアンテナ実装構造を備えた携帯電話端末。
【発明の詳細な説明】
【技術分野】
【０００１】
本発明は、複数のアンテナを実装する構造に関し、特に、アンテナ同士の独立性を確保したアンテナ実装構造及びこれを備えた携帯電話端末に関する。
【背景技術】
【０００２】
二つの筐体を相対的にスライドさせることにより伸縮可能に連結したスライド型の携帯電話端末においては、一方の筐体に収容される基板の長手方向の端部に通話用のアンテナを配置し、伸長状態で端末の中央部にアンテナを位置させる構造が主流となっている。
【０００３】
８２０〜９６０ＭＨｚ付近の帯域で使用するアンテナエレメント（以下、LowBand用アンテナは占有長が約３０〜４０ｍｍと大きく、これは短手方向に配置される。
【０００４】
一方、近年の携帯電話端末には、ＧＰＳ（Global Positioning System）、Bluetooth、無線ＬＡＮ（Local Area Network）、地上波デジタル放送等の通話以外の通信機能が搭載されている。
【０００５】
これら通話以外の通信機能のためのアンテナ（以下、アプリ用アンテナ）をスライド型の携帯電話端末に搭載する場合には、実装上の都合から、LowBand用アンテナが実装された方とは別の基板の端部に配置し、伸長状態で端末の端部にアンテナを位置させることが多い。
【０００６】
このような構造とした場合、端末を短縮した状態では、LowBand用アンテナとアプリ用アンテナとが近接してしまい、アイソレーションが悪化してしまうという問題がある。
【０００７】
伸縮可能な構造の携帯電話端末において、２種類のアンテナのアイソレーションの低下を防ぐことに関連する発明として、特許文献１に開示される「携帯電話」がある。特許文献１に開示される発明は、２種類のアンテナの特性インピーダンスを整合させる整合回路を有する携帯電話である。
【特許文献１】特開２００７−２０１９１８号公報
【発明の開示】
【発明が解決しようとする課題】
【０００８】
しかし、特許文献１に開示される発明は、整合回路を必要とする構成であるため、高密度実装の妨げとなる。すなわち、小型化・高機能化が要求される今日の携帯電話端末に適した構成とは言えない。
【０００９】
本発明は、係る問題に鑑みてなされたものであり、高密度実装を妨げることなく複数のアンテナのアイソレーションを向上させたアンテナ実装構造及びこれを備えた携帯電話端末を提供することを目的とする。
【課題を解決するための手段】
【００１０】
上記目的を達成するため、本発明は、第１の態様として、第１の基板を収容する第１の筐体と第２の基板を収容する第２の筐体とを重ね合わせた短縮状態と、第１及び第２の筐体とを略直列に配置した伸長状態とを取りうる携帯電話端末に適用されるアンテナ実装構造であって、隅に切り欠き部が形成された第１の基板は、長手方向の切り欠き部と隣接する一端かつ該切り欠き部に隣接する短手方向の一端となる角部に、第１の周波数帯域を使用周波数とする第１のアンテナが、長手方向に沿って切り欠き部の上に位置するように配置されており、第２の基板は、短縮状態において長手方向では切り欠き部とは同じ側の一端かつ短手方向では該切り欠き部とは反対側の端となる角部に、第２の周波数帯域を使用周波数とする第２のアンテナが配置されており、第１のアンテナに給電する第１の基板上の第１の給電点と、第２のアンテナに給電する第２の基板上の第２の給電点とは、短縮状態において第２の周波数帯域おける最低周波数での波長換算で０．１１波長よりも離れて設置されていることを特徴とするアンテナ実装構造を提供するものである。
【００１１】
また、上記目的を達成するため、本発明は第２の態様として、上記本発明の第１の態様に係るアンテナ実装構造を備えた携帯電話端末を提供するものである。
【発明の効果】
【００１２】
本発明によれば、高密度実装を妨げることなく複数のアンテナのアイソレーションを向上させたアンテナ実装構造及びこれを備えた携帯電話端末を提供できる。
【発明を実施するための最良の形態】
【００１３】
本発明の好適な実施の形態について説明する。
図１に、本発明を好適に実施したアンテナ実装構造及びこれを備えた携帯電話端末の構成を示す。図１（ａ）は本実施形態に係るアンテナ実装構造を示し、（ｂ）はそのアンテナ実装構造を適用した携帯電話端末の構成を示している。本実施形態に係るアンテナ実装構造は、第１の筐体７に収容される第１の基板３と第２の筐体８に収容される第２の基板６とを有し、短縮状態においては第１の基板３と第２の基板６とがｚ方向で重なり合う構成である。
【００１４】
図２に示すように、第１の筐体７及び第２の筐体８は、ｙ方向に相対的にスライド移動可能であり、短縮状態及び伸長状態の二つの形態をとりうる。ここで、携帯端末を短縮状態から伸長状態に遷移させる際に第２の筐体８をスライドさせる方向をｙ方向の＋（プラス）の向きと定義する。
【００１５】
第１の基板３は、ｙ方向の＋側かつｘ方向の−側となる角部に切り欠き３ａが設けられている。第１の基板３のｙ方向の＋側の端部には、給電点２が設けられており、ここからLowBand用アンテナ１に給電がなされている。LowBand用アンテナ１は、第１の基板３のｙ方向の＋側の端における短手方向（ｘ方向）の端部（ここでは、ｘ方向の−側の端部）から長手方向に沿って配置されており、ミアンダ形状を呈している。LowBand用アンテナ１は、電気長が使用周波数の約１／４波長相当となる場合に動作するモノポールアンテナであり、本実施形態においては８００ＭＨｚ付近帯域で動作する。なお、LowBand用アンテナ１はｘｙ平面に関しては切り欠き部３ａからはみ出ないように（換言すると、第１の基板３が切り欠かれている領域に）配置されている。
【００１６】
第２の基板６のｙ方向の＋側の端部には、給電点５が設けられており、ここからアプリ用アンテナ４に給電がなされている。アプリ用アンテナ４は、第２の基板６の短手方向の端部で、LowBand用アンテナ１とは反対側（ここでは、ｘ方向の＋側の端部）に配置されている。アプリ用アンテナ４は、１．５７５ＧＨｚのＧＰＳ信号を受信するためのアンテナ（ＧＰＳアンテナ）である。
【００１７】
給電点２と給電点５との間隔は、ＧＰＳ信号の波長換算で０．１１波長よりも長くなっている。すなわち、図１に示すようなｘｙｚ直交座標系において、給電点２の座標が（ｘ１、ｙ１、ｚ１）であり、給電点５の座標が（ｘ２、ｙ２、ｚ２）であるならば、給電点間の距離Ｌは、
Ｌ＝√（（ｘ１−ｘ２）2＋（ｙ１−ｙ２）2＋（ｚ１−ｚ２）2）＞０．１１λ
である。なお、上記の、λはＧＰＳ信号の１波長である。
【００１８】
LowBand用アンテナ１の第２共振周波数は、ＧＰＳ信号の周波数である１．５７５ＧＨｚに近い。このため、この周波数帯域では、LowBand用アンテナ１は共振しやすく、他の周波数帯域と比較してLowBand用アンテナ１のアイソレーションは悪化しやすい。
【００１９】
本実施形態においては、アプリ用アンテナ４とｘ方向で対極に位置するように第１の基板３の長手方向に沿ってLowBand用アンテナ１が設置されており、かつLowBand用アンテナ１及びアプリ用アンテナ４にそれぞれ給電する給電する給電点２及び給電点５の距離は、アプリ用アンテナ４の使用周波数の０．１１波長よりも長くなっている。
【００２０】
図３に、給電点間の距離と二つのアンテナ間のアイソレーションレベルとの関係を示す。なお、横軸は、給電点２と給電点５との距離をアプリ用アンテナ４の使用最低周波数での波長換算で表している。図示するように、給電点２と給電点５との距離が広がるにつれ、LowBand用アンテナ１とアプリ用アンテナ４とのアイソレーションは向上していき、給電点間距離が０．１１波長ではアイソレーションが−１８ｄＢ以下となっている。このため、給電点間距離を０．１１波長以上とすることで、LowBand用アンテナ１とアプリ用アンテナ４とのアイソレーションの悪化は使用上問題とならない程度に抑えられる。
【００２１】
また、LowBand用アンテナ１の向きによるアイソレーションレベルの違いを比較するため、給電点間距離を０．１３波長としLowBand用アンテナ１を第１の筐体７の短手方向に沿って配置した構成を図４に示す。この構成においては、LowBand用アンテナ１とアプリ用アンテナ４とが近接しており、ｚ方向で部分的に重なっている。
図３からも明らかなように、LowBand用アンテナ１を第１の基板３の長手方向に沿って配置した場合、LowBand用アンテナ１とアプリ用アンテナ４とのアイソレーションは−２４ｄＢである。一方、図４に示す構成では、LowBand用アンテナ１とアプリ用アンテナ４とのアイソレーションが−１２ｄＢに悪化する。
【００２２】
すなわち、LowBand用アンテナ１を第１の基板３の長手方向に沿って配置することで、LowBand用アンテナ１とアプリ用アンテナ４とのアイソレーション改善して、十分なアイソレーションを確保できる。
【００２３】
なお、上記実施形態は本発明の好適な実施の一例であり、本発明はこれに限定されることはない。
例えば、上記実施形態においては、LowBand用アンテナ１がミアンダ形状である場合を例としたが、図５に示すように、LowBand用アンテナ１は、直線状（図５（ａ））、ヘリカル状（図５（ｂ））、逆Ｆ状（図５（ｃ）、（ｄ））などであっても良い。
また、図６に示すように、LowBand用アンテナ１とは異なる周波数帯域での通話のための他Band用アンテナ１１をさらに設けても良い。他Band用アンテナ１１は、LowBand用アンテナ１と共通の給電点から給電しても良いし、別に給電点を設けても良い。
さらに、図７に示すように、LowBand用アンテナ１とアプリ用アンテナ４とを基板の幅方向（ｘ方向）で図１とは逆に配置しても同様の効果が得られることは言うまでもない。
さらに、スライド型に限定されることはなく、短縮状態において二つの筐体が重なり合うあらゆる構造の携帯電話端末、例えば図８に示すような折り畳み型の携帯電話端末に適用可能である。
このように、本発明は様々な変形が可能である。
【図面の簡単な説明】
【００２４】
【図１】本発明の好適な実施の形態に係るアンテナ実装構造及び携帯電話端末の構成を示す図である。
【図２】本発明の好適な実施の形態に係るアンテナ実装構造を採用したスライド型の携帯電話端末の伸長状態を示す図である。
【図３】給電点間距離とアイソレーションレベルとの関係を示す図である。
【図４】LowBand用アンテナを基板の短手方向に配置した構成を示す図である。
【図５】LowBand用アンテナの形状の一例を示す図である。
【図６】LowBand用アンテナとは異なる周波数帯域での通話用の他Bandアンテナを設けたアンテナ実装構造及び携帯電話端末の構成を示す図である。
【図７】本発明の好適な実施の形態に係るアンテナ実装構造及び携帯電話端末の別の構成を示す図である。
【図８】本発明の好適な実施の形態に係るアンテナ実装構造を採用した折り畳み型の携帯電話端末の伸長状態を示す図である。
【符号の説明】
【００２５】
１    LowBand用アンテナ
２、５    給電点
３    第１の基板
４    アプリ用アンテナ
６    第２の基板
７    第１の筐体
８    第２の筐体
【図１】
2010130049.tif 000003
【図２】
2010130049.tif 000004
【図３】
2010130049.tif 000005
【図４】
2010130049.tif 000006
【図５】
2010130049.tif 000007
【図６】
2010130049.tif 000008
【図７】
2010130049.tif 000009
【図８】
2010130049.tif 000010